(57)【要約】【課題】本発明の課題は、車内のマイナスイオン濃度をより容易に把握できるマイナスイオン濃度報知システムを提供することである。【解決手段】マイナスイオン発生器1と、車内のマイナスイオン濃度を表示する画像表示ユニット５０とからなる車内イオン濃度報知システムであって、  前記画像表示ユニット５０は、前記マイナスイオン濃度の情報に基いて当該マイナスイオン濃度に適合する図案または風景を表す画像を選択表示することを特徴とする車内イオン濃度報知システム。【選択図】        図１
2006232018.tif 000002
【特許請求の範囲】
【請求項１】
マイナスイオン発生器と、車内のマイナスイオン濃度を表示する画像表示ユニットとからなる車内イオン濃度報知システムであって、
前記画像表示ユニットは、前記マイナスイオン濃度の情報に基いて当該マイナスイオン濃度に適合する図案または風景を表す画像を選択表示することを特徴とする車内イオン濃度報知システム。
【請求項２】
前記画像表示ユニットは画像格納部を備え、
前記画像格納部は、前記風景画像を記憶すると共に、前記風景画像に適合するマイナスイオン濃度を当該風景画像の属性値として記憶する請求項１記載の車内イオン濃度報知システム。
【請求項３】
前記画像格納部は、前記属性値として前記風景画像の位置情報を記憶しており、
前記画像表示ユニットは、前記位置情報に基づき、地域限定された風景画像を選択表示する請求項２記載の車内イオン濃度報知システム。
【請求項４】
前記位置情報は、車内に搭載されているナビゲーション機器から出力される位置情報である請求項３記載の車内イオン濃度報知システム。
【請求項５】
当該車内イオン濃度報知システムは、音楽再生ユニットを備え、
前記音楽再生ユニットは、前記マイナスイオン濃度の情報に基づいて当該マイナスイオン濃度に適合する音楽を選択的に鳴らす請求項１〜４のいずれかに記載の車内イオン濃度報知システム。
【請求項６】
マイナスイオン発生器と、車内のマイナスイオン濃度の情報に基いて当該マイナスイオン濃度に適合する音楽を選択的に鳴らす音楽再生ユニットとからなることを特徴とする車内イオン濃度報知システム。
【発明の詳細な説明】
【技術分野】
【０００１】
本発明は、マイナスイオン発生器が生成する、車内におけるマイナスイオン濃度を報知するシステムに関する。
【背景技術】
【０００２】
近年、マイナスイオンが人体に好ましい生理的作用を与えるとして、種々のマイナスイオン発生器が開発され、環境の良くない住宅などに直接配置されたり、空調装置に組み込まれたりしている。また、住宅に較べて良好な居住環境が得られにくい自動車にもマイナスイオンを増加させるような装置を搭載することが提案されている。
【０００３】
また、マイナスイオン増加装置を空気浄化装置に配置し、この装置環境のマイナスイオン濃度を表示するマイナスイオン濃度・報知技術も、知られている（特許文献１、参照）。この特許文献は、マイナスイオン濃度を、マイナスイオン検知手段によって検知し、検知したマイナスイオンの量を同レベルの自然界の条件と対応させて表示したと、称している。
【０００４】
しかしながら、この特許文献に具体的に開示された表示方法は、デジタル表示の他に、対象となる空間の状態を「滝・渓流」、「信州の森」、「一般住宅地」、「市街地」などの文字表示でもって表示しているにすぎない。また、このような報知システムを自動車の車内に適用しても、文字ベースの表示は、特に運転者にとって見づらいものとなるため、現状のマイナスイオンの濃度状態をより容易に把握できるシステムが望まれていた。
【０００５】
【特許文献１】特開２００２−１７２１５８ 号公報（特に、段落番号００１１〜００２２、図１）
【発明の開示】
【発明が解決しようとする課題】
【０００６】
本発明の課題は、車内のマイナスイオン濃度をより容易に把握できるマイナスイオン濃度報知システムを提供することである。
【課題を解決するための手段】
【０００７】
上記課題を解決するため、本発明の第１の態様によれば、本発明は、マイナスイオン発生器と、車内のマイナスイオン濃度を表示する画像表示ユニットとからなる車内イオン濃度報知システムであって、前記画像表示ユニットは、前記マイナスイオン濃度の情報に基いて当該マイナスイオン濃度に適合する図案または風景を表す画像を選択表示することを特徴とする車内イオン濃度報知システムを提供する。
【０００８】
なお、上記図案や風景を表す画像とは、文字、数字、記号ではなく、イラストやグラフ（棒グラフや円グラフなど）及び風景などの撮影画像といった具象的な画像のことであり、文字、数字、記号のように読んで理解するのではなく、現象をイメージ的に理解するに適した画像である。
【０００９】
この構成によれば、車内におけるマイナスイオン濃度は、そのマイナスイオン濃度に適合する画像として表示されるので、現時点の車内の状態が森林浴にいるような状態であるとか、滝壺の前に立っているような状態であるとかというようにイメージ的に車内のマイナスイオン濃度を把握することができる。このようなイメージ表示は濃度値の数字表示やその濃度値に適合する場所の文字表示などに較べてもより容易に車内のマイナスイオン濃度を把握することに優れている。
【００１０】
測定マイナスイオン濃度に適合する画像としては、そのようなマイナスイオン濃度環境にある実際の風景画像が適しているので、本発明のさらなる特徴として、各マイナスイオン濃度環境に一致する風景画像をそのマイナスイオン濃度とともに記憶しておき、測定マイナスイオン濃度を検索キーとして直ちにそのマイナスイオン濃度に一致する風景画像を読み出すことができる構成も提案される。
【００１１】
自動車のように各地を移動する車内にこのイオン濃度報知システムを適用する場合、予め記憶しておく風景画像に対応するマイナスイオン濃度だけではなく、その風景画像の位置情報も付随させておくなら、車内のマイナスイオン濃度と走行している場所の両方に適合する風景画像を車内マイナスイオン濃度のためのイメージ表示として使用することができ、好都合である。なお、そのような走行中車両の位置情報としては、車内に搭載されているナビゲーション機器から出力される位置情報を利用することが最適である。その際、ナビゲーション機器に付属するモニタ画面を風景画像の表示画面として利用することができるといった副次的な効果も得られる。
【００１２】
マイナスイオン濃度のレベルと人体に異なるレベルの生理的作用が対応付けられることを考慮するならば、同様に人の感性に異なる生理的作用を与えうる種々のタイプ音楽を、車内のマイナスイオン濃度の情報に基づいて鳴らすことも、より容易に車内のマイナスイオン濃度を把握するために利用可能である。例えば、滝壺の前に立っていることをイメージさせる音楽や、森の中にたたずんでいることをイメージさせる音楽などは、ヒーリング音楽の分野ではよく知られているので、そのような種類の音楽を測定されたマイナスイオン濃度に応じて選択的に鳴らす音楽再生ユニットを追加的に備えるとよい。
【００１３】
前記課題を達成するため、本発明の第２の形態によれば、本発明は、マイナスイオン発生器と、車内のマイナスイオン濃度の情報に基いて当該マイナスイオン濃度に適合する音楽を選択的に鳴らす音楽再生ユニットとからなることを特徴とする車内イオン濃度報知システムを提供する。これによると、車内のマイナスイオン濃度の情報に基づいてそのマイナスイオン濃度に対応する自然環境をイメージさせるような音楽が流れる。
【発明の効果】
【００１４】
本発明による、車内イオン濃度報知システムでは、マイナスイオン濃度の情報に基づいてそのマイナスイオン濃度に適合する図案や風景を表す画像が画像表示ユニットによって選択表示されるので、従来の文字によるマイナスイオン濃度の表現に較べより容易に把握することができる。特に画像表示ユニットによって表示される画像が、イラストやグラフ（棒グラフや円グラフなど）及び風景などの撮影画像といった具象的な画像であるため、子供などでも理解し易い優れたユーザインターフェースとなっている。また、車内マイナスイオン濃度に対応する自然環境をイメージさせるような音楽流される場合も、子供などでも理解し易い優れたユーザインターフェースを提供することになる。
【発明を実施するための最良の形態】
【００１５】
本発明による車内イオン濃度報知システムの基本構成要素は、マイナスイオン発生器と、車内のマイナスイオン濃度を表示する画像表示ユニットであって前記マイナスイオン濃度の情報に基いて当該マイナスイオン濃度に適合する図案または風景を表す画像を選択表示する画像表示ユニットとである。
【００１６】
マイナスイオン発生器は、通常車内に設けることができるが、車外に設けてマイナスイオンを車内に放出させてもよい。また本発明によれば、マイナスイオン濃度についての情報は、通常、マイナスイオン濃度を測定するマイナスイオン濃度測定器を車内に設け、このマイナスイオン濃度測定器によって得ることができる。ただし、マイナスイオン濃度と、電流、電圧および電圧の周波数との相関関係を、予め、実験し、所定の電流／電圧／電圧周波数を、前記マイナスイオン濃度の情報として採用することができ、この場合、マイナスイオン濃度測定器を省略できる利点がある。
【００１７】
また前記のごとく、マイナスイオン濃度に適合する図案や風景を表す画像としては、文字や記号ではなく、森林や滝などのイラストや撮影画像、さらには、濃度をグラフ化して得られるグラフ画像のといった具象的な画像が利用される。画像表示ユニットは、前記画像を液晶ディスプレイなどのモニタを用いて表示する機能を有するユニットである。
【００１８】
本発明による車内イオン濃度報知システムの原理が図１に示されている。このシステムは自動車の車内に搭載され、マイナスイオン発生器１と車内のマイナスイオン濃度の情報としてのマイナスイオン濃度測定信号を出力するマイナスイオン濃度測定器２と画像表示ユニット５０から構成されている。マイナスイオン発生器１とマイナスイオン濃度測定器２としては公知のものが利用される。画像表示ユニット５０は、マイナスイオン濃度測定器２から送られてきた測定信号に基づいて数段階に分けられたマイナスイオン濃度レベルから適当なレベルを算定するマイナスイオン濃度レベル算定部５１と、このシステムを搭載した自動車の現在位置をＧＰＳなどの方式で位置情報（緯度経度データ又は地域コードデータなど）として取得する位置情報取得部５２と、マイナスイオン濃度レベル算定部５１で算定されたマイナスイオン濃度レベルと位置情報取得部５２で取得された位置情報とから現状の車内マイナスイオン濃度レベルに適合するとともに現在走行している地域に属するイメージ画像を、特に好ましいのは風景画像（詳しくは風景画像のデジタル静止画データ）を画像格納部５４から検索抽出する表示画像決定部５３と、表示画像決定部５３で決定された現状の車内マイナスイオン濃度レベルに適合する風景画像を受け取ってモニタ５６に表示させるビデオ制御部５５とを備えている。
【００１９】
図２に示すように、好適な態様では画像格納部５４は、各風景画像そのものを格納すると共に、例えば、画像ＩＤをレコード番号として、さらにその風景画像の環境に対応するマイナスイオン濃度レベル及びその風景の位置情報（緯度経度データ又は地域コードデータなど）を属性値として付随させたデータ構造をもって各風景画像を格納しており、マイナスイオン濃度やレベル位置情報を検索キーとして適合する風景画像を抽出できる画像データベースとしての機能を備えている。
【００２０】
この画像格納部５４に格納される画像のデータ構造を利用することにより、表示画像決定部５３は、マイナスイオン濃度レベル算定部５１で算定されたマイナスイオン濃度レベルと位置情報取得部５２で取得された位置情報との２つの検索条件に適合する画像を抽出することができる。この抽出された画像は、現状の車内マイナスイオン濃度レベルに適合するとともに現在走行している地域に属することになる風景を表す画像となる。もちろん、現在走行している地域に属する風景が画像格納部５４に格納されていない場合には、車内マイナスイオン濃度レベルに適合するという条件だけを満足する画像が抽出され、表示されるように構成するとよい。また、地域限定した画像を表示するという機能は本発明の必須ではなく、地域限定をしない場合には、位置情報取得部５２を省略することや、画像格納部５４に格納される画像のデータ構造において属性値としての位置情報を削除することができる。
【００２１】
マイナスイオン濃度に適合する画像の例としては、図３に示されているように、「滝壺周辺」（マイナスイオン濃度：＞１００００個／立方ｃｍに準じる）、「森林をともなう高原」（マイナスイオン濃度：５００〜１００００個／立方ｃｍに準じる）、「町の商店街」（マイナスイオン濃度：１００〜５００個／立方ｃｍに準じる）、「工場地帯」（マイナスイオン濃度：０〜１００個／立方ｃｍに準じる）などが代表的な例であり、そのようなイメージをもつ風景画像を地域別に画像格納部５４に格納しておくことで、車内マイナスイオン濃度の測定結果が走行中の地域の適合イメージ画像の形でモニタ５６に表示されるので、運転者や同乗者は現状の車内のマイナスイオンの分布状態を文字表示や記号表示に較べて容易に把握することができる。
【００２２】
さらに、この車内イオン濃度報知システムには、付加的に、車内マイナスイオン濃度レベルに合わせた音楽を鳴らす音楽再生ユニット６０も備えられており、この音楽再生ユニット６０は、マイナスイオン濃度レベルに適合する風景環境をイメージするような音楽データをそのマイナスイオン濃度レベルを属性値として付随させた状態で格納する音楽データ格納部６４と、マイナスイオン濃度レベル算定部５１で算定されたマイナスイオン濃度レベルに適合する音楽データを音楽データ格納部６４から抽出して音楽再生制御部６５に送ってスピーカ６６を通じて音楽を鳴らす再生音楽決定部６３を備えている。
【００２３】
マイナスイオン濃度レベルに適合する風景環境をイメージするような音楽とは、例えば非常に高いマイナスイオン濃度環境に対しては透明感のあるグラスハープなどの楽曲であったり、やや高いマイナスイオン濃度環境に対しては一般的なヒーリング楽曲、低いマイナスイオン濃度環境に対してはノイジィーな楽曲を割り当てるのが一般的であるが、このような割り当てはそれぞれの人の感性によって異なる可能性もあるので、そのような割り当ては自由に選択できるようにすることが好ましい。
【００２４】
いずれにせよ、前記構成の車内イオン濃度報知システムが搭載されていると、定期的にまたはキーマトリック５７の操作を通じて車内イオン濃度報知処理がトリガーされると、その時点での車内のマイナスイオン濃度に応じたイメージ画像がモニタ５６に表示され、付加的にそのようなマイナスイオン濃度環境に合ったイメージ音楽がスピーカ６６から流れるので、現状の車内のマイナスイオンの分布状態を容易に把握することができる。
【００２５】
なお、前記車内イオン濃度報知システムにおける、位置情報取得部５２に基づく地域別のマイナスイオン濃度に応じたイメージ画像の表示機能や車内マイナスイオン濃度レベルに合わせた音楽を鳴らす音楽再生機能は、イメージ画像の表示機能と選択的に採用可能である。
【００２６】
前記車内イオン濃度報知システムを自動車に搭載した形態を示す模式的な外観図が図４に示されている。この実施形態では、自動車のダッシュボード１００にカーナビ装置３のコントローラ３Ａとモニタ３Ｂとともに、車内イオン濃度報知システムを構成する画像表示ユニット５０も組み込まれている。そして、車内イオン濃度報知システムのためのモニタ５６はカーナビ装置３のモニタ３Ｂと兼用となっている。マイナスイオン濃度測定器２としてのマイナスイオンセンサはダッシュボード１００の下方空間に配置されている。
【００２７】
マイナスイオン発生器１としては、公知の種々のものを用いることができ、本発明ではその種類や形態は限定されない。図４に示す例では、イオン発生電極を用いるマイナスイオン発生器１がシート２０の座部２０Ａと背もたれ部２０Ｂに、温調装置３０とともに組み込まれているが、座部２０Ａの下部にマイナスイオン発生器１を配置してもよいし、その他の場所に配置してもよい。
【００２８】
マイナスイオン濃度の画像表示ユニット５０に付随している表示スイッチ（図示されていないが、カーナビの操作スイッチと兼用すると好都合である）を操作することにより、モニタ５６に、図３で示したような、車内マイナスイオン濃度に適合したイメージ画像としての風景画像が表示される。
【００２９】
前記した例では、車内イオン濃度報知システムのためのモニタ５６はカーナビ装置３のモニタ３Ｂと兼用となっていたが、別なモニタを利用してもよい。そのような例を図を用いて説明する。
図５から図７に示すように、運転席１０１及び助手席１０５の背もたれ部１０３，１０７の間において、運転席１０１の背もたれ部１０３の横側部にアームレスト１１３が取り付けられている。アームレスト１１３は、自動車進行方向前向きに倒した使用姿勢、及び運転部１又は助手席１０５の背もたれ部１０３，１０７に沿って起立した非使用姿勢に、アームレスト１１３が後部の横軸芯Ｐ１周りに姿勢変更自在に構成されており、アームレスト１１３は使用姿勢及び非使用姿勢の間の任意の姿勢にも位置させておくことができる。
【００３０】
アームレスト１１３は本体１１４、本体１１４の上面側（肘のせ部側）に形成された凹部状の物入れ部１１５、物入れ部を覆う蓋部１１６（肘のせ部に相当）等を備えて構成されている。アームレスト１１３の蓋部１１６の前部（横軸芯Ｐ１から遠い側）に開口部１１６ａが設けられて、アームレスト１１３の蓋部１１６に表皮１１６ｂが貼り付けられており、アームレスト１１３の本体１１４の前後軸芯Ｐ２周りに、アームレスト１１３の蓋部１１６が開閉自在に支持されている。
【００３１】
アームレスト１１３の物入れ部１１５の前部（横軸芯Ｐ１から遠い側）に、立方体形状の支持部１１７が固定されており、支持部１１７の上面に液晶ディスプレイであるモニタ１１８及び操作スイッチパネル１１９が固定されている。モニタ１１８はテレビチューナー（図示せず）などの車内ＡＶ機器からの送られてくる画像を表示するモニタとしての機能と、本発明によるマイナスイオン濃度報知システムのためのモニタとしての機能を果たす。
【００３２】
図６に示すように、アームレスト１１３の蓋部１１６を閉じ位置に操作すると、アームレスト１１３の蓋部１１６の開口部１１６ａにモニタ１１８が対向しており、アームレスト１１３の蓋部１１６により操作スイッチパネル１１９が覆われて、操作スイッチパネル１１９の操作スイッチを操作することができない。アームレスト１１３の蓋部１１６を開き位置に操作すると、操作スイッチパネル１１９の操作スイッチを操作することができる。後述するように操作スイッチパネル１１９に備えられた操作スイッチにより、テレビチューナーなどのＡＶ機器からの番組画像が表示される状態、マイナスイオン濃度報知システムからのマイナスイオン濃度のイメージ画像が表示される状態を選択することができる。
【００３３】
図６に示すように、アームレスト１１３を使用姿勢に設定すると、モニタ１１８は比較的低い位置（運転席１０１及び助手席１０５の乗員の肘の高さ）に位置して上方を向くことになる。これによって、運転席１０１及び助手席１０５の乗員がモニタ１１８を見下ろすような状態となる。
【００３４】
図７に示すように、アームレスト１１３を非使用姿勢に設定すると、モニタ１１８は比較的高い位置に位置して後方（後部座席１０９側）に向くことになる。これによって、モニタ１１８が車室の略左右中央で比較的高い位置に位置して後方（後部座席１０９側）に向くことになり、後部座席１０９の乗員の目の高さにモニタが比較的近くなるので、後部座席１０９の乗員がモニタを見下ろすような状態にはならず、後部座席１０９の右又は左の一方の乗員にとってモニタ１１８が遠くて見にくくなると言うような状態は生じない。この場合、運転席１０１及び助手席１０５の乗員はモニタ１１８を見ることができない状態となる。
【００３５】
アームレスト１１３を非使用姿勢に設定した状態において（使用姿勢及び非使用姿勢の間に中間姿勢が設定されており、中間姿勢を越えて非使用姿勢側に操作された状態）、後部座席９の乗員がアームレスト１１３の蓋部１１６を開き位置に操作して、操作スイッチパネル１１９の操作スイッチを操作することができる。
【００３６】
これにより、車内マイナスイオン濃度の状態を知りたい場合は、操作スイッチパネル１１９の操作スイッチにより、マイナスイオン濃度報知システムからのマイナスイオン濃度のイメージ画像を表示させることができる。また、この操作スイッチパネル１１９の操作スイッチにより、マイナスイオン発生器１の動作を制御することもできる。
【００３７】
図７に示すように、アームレスト１１３を非使用姿勢に設定した状態において、車室に入る光がモニタ１１８に映って、後部座席１０９の乗員にとってモニタ１１８が見にくくなる場合、非使用姿勢でのアームレスト１１３の姿勢を横軸芯Ｐ１周りに少し変更して、モニタ１１８の姿勢を少し変更することにより、後部座席１０９の乗員にとってモニタ１１８が見やすくなるようにすることができる。
【００３８】
〔別実施形態〕
本発明の別実施形態による車内イオン濃度報知システムの基本構成要素は、マイナスイオン発生器が備えられた車内におけるマイナスイオン濃度を表しているマイナスイオン濃度の情報に基づいてそのマイナスイオン濃度に適合する音楽を選択的に鳴らす音楽再生ユニットとである。この音楽再生ユニットは、車内において測定されたマイナスイオン濃度に応じて、このマイナスイオン濃度のレベルと同様なレベルの生理的作用を人の感性に与えうる音楽を再生して、車内に鳴らすものである。
【００３９】
この別実施形態では、画像のモニタ表示は行われない。従って、図９で示すように、この車内イオン濃度報知システムは、マイナスイオン発生器１と、マイナスイオン濃度測定器２と、マイナスイオン濃度測定器２から送られてきたマイナスイオン濃度情報としての測定信号に基づいて数段階に分けられたマイナスイオン濃度レベルから適当なレベルを算定するマイナスイオン濃度レベル算定部５１と、音楽再生ユニット６０とから構成され、この音楽再生ユニット６０は、マイナスイオン濃度レベルに適合する風景環境をイメージするような音楽データをそのマイナスイオン濃度レベルを属性値として付随させた状態で格納する音楽データ格納部６４と、マイナスイオン濃度レベル算定部５１で算定されたマイナスイオン濃度レベルに適合する音楽データを音楽データ格納部６４から抽出して音楽再生制御部６５に送ってスピーカ６６を通じて音楽を鳴らす再生音楽決定部６３を備えている。この車内イオン濃度報知システムでは、運転者や同乗者は流れる音楽によって車内のマイナスイオン濃度を容易に把握することができる。
【産業上の利用可能性】
【００４０】
本発明の車内イオン濃度報知システムは、自動車（特に、乗用車）などの車両に適用でき、自動車等の車内におけるマイナスイオン濃度だけではなく、種々の環境下において、そこでのマイナスイオン濃度に対応する自然環境をイメージさせるような風景画像や音楽などを通じてその環境状況を報知するために利用することができる。
【図面の簡単な説明】
【００４１】
【図１】本発明による車内イオン濃度報知システムの原理を示すブロック図
【図２】マイナスイオン濃度レベルに適合する画像のデータ構造を示す模式図
【図３】モニタ表示される種々のマイナスイオン濃度レベルに適合する風景画像を示す画面図
【図４】自動車に搭載された車内イオン濃度報知システムの概略図
【図５】マイナスイオン濃度を表す画像を表示するモニタを備えたアームレストの斜視図
【図６】アームレストの使用姿勢を示す斜視図
【図７】アームレストの非使用姿勢を示す斜視図
【図８】本発明による車内イオン濃度報知システムの別実施形態の原理を示すブロック図
【符号の説明】
【００４２】
１：マイナスイオン発生器
２：マイナスイオン濃度測定器
５０：画像表示ユニット
５１：マイナスイオン濃度レベル算定部
５２：位置情報取得部
５３：表示画像決定部
５４：画像格納部
５６：モニタ
６０：音楽再生ユニット
６３：音楽データ格納部
６５：音楽再生制御部
６６：スピーカ
【図１】
2006232018.tif 000003
【図２】
2006232018.tif 000004
【図３】
2006232018.tif 000005
【図４】
2006232018.tif 000006
【図５】
2006232018.tif 000007
【図６】
2006232018.tif 000008
【図７】
2006232018.tif 000009
【図８】
2006232018.tif 000010